【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
撮像手段により撮像され、撮像された後にリフォーカス可能な画像データと、前記撮像手段の特性情報とを取得する取得手段と、
前記リフォーカス可能な画像データにおける奥行き方向の距離を示す距離情報を取得する距離取得手段と、
前記特性情報に基づいて、前記リフォーカス可能な画像データのリフォーカス可能な距離範囲の情報を算出するリフォーカス範囲算出手段と、
前記距離情報と前記リフォーカス可能な距離範囲の情報とに基づいて、前記リフォーカス可能な画像データに対応する画像に画像処理を施して、表示手段に表示する表示画像を生成する画像処理手段と、
を備えることを特徴とする画像処理装置。
【請求項２】
前記特性情報とは、前記リフォーカス可能な画像データの撮像された撮像光学系のフォーカス位置、あるいは撮像素子の仕様に関する情報であることを特徴とする請求項１に記載の画像処理装置。
【請求項３】
前記画像処理手段は、前記画像処理によってリフォーカス可能な画像データに対応する画像においてリフォーカスにより合焦した画像が得られる領域と得られない領域を区別可能にすることを特徴とする請求項１または２に記載の画像処理装置。
【請求項４】
前記画像処理とは、リフォーカスにより合焦した画像が得られる領域、あるいはそれ以外の領域のいずれかの色を変更する処理であることを特徴とする請求項１乃至３のいずれか１項に記載の画像処理装置。
【請求項５】
前記リフォーカス可能な画像データを用いて、目的とする焦点位置のリフォーカス画像を生成するリフォーカス画像生成手段をさらに備えることを特徴とする請求項１乃至４のいずれか１項に記載の画像処理装置。
【請求項６】
前記リフォーカス可能な画像データの画像の領域を指定するユーザーからの指示を受け付ける操作手段をさらに備え、
前記画像処理手段は、前記指示に基づいて、前記指定された領域がリフォーカス可能な画像データに対応する画像においてリフォーカスにより合焦した画像が得られるか否かを区別可能な表示画像を生成することを特徴とする請求項１乃至５のいずれか１項に記載の画像処理装置。
【請求項７】
前記リフォーカス可能な画像データに対応する画像から特定の被写体を検出する被写体検出手段をさらに備え、
前記画像処理手段は、前記被写体検出手段により特定の被写体が検出された領域がリフォーカス可能な画像データに対応する画像においてリフォーカスにより合焦した画像が得られるか否かを区別可能な表示画像を生成することを特徴とする請求項１乃至６のいずれか１項に記載の画像処理装置。
【請求項８】
前記画像処理手段は、前記リフォーカス可能な画像データの複数の領域ごとに該領域の奥行き方向の距離が前記リフォーカス可能な距離範囲内か前記リフォーカス可能な距離範囲外かを示す情報、および前記リフォーカス可能な距離範囲外の場合は範囲外の程度を示す情報を含み、前記画像処理手段は、前記範囲外の程度の情報に基づいて画像処理を変えることを特徴とする請求項１乃至７のいずれか１項に記載の撮像装置。
【請求項９】
前記画像処理手段は、リフォーカス可能な距離範囲外に位置する被写体の、リフォーカス可能な距離範囲内から外れた距離の大きさが認識可能となるように前記表示画像を生成することを特徴とする請求項４に記載の撮像装置。
【請求項１０】
前記画像処理手段は、前記リフォーカス可能な画像データの各領域の前記距離情報と、前記リフォーカス可能な距離範囲の情報とを比較することで、各領域に合焦した画像が得られるか否かを判定し、該判定結果を反映させた表示画像を生成することを特徴とする請求項１乃至９のいずれか１項に記載の画像処理装置。
【請求項１１】
請求項１乃至１０のいずれか１項に記載の画像処理装置と、
前記撮像手段と、
を備えることを特徴とする撮像装置。
【請求項１２】
前記撮像手段は、複数のマイクロレンズを有し且つ１つのマイクロレンズに対して複数の画素が配置された撮像素子を有することを特徴とする請求項１１に記載の撮像装置。
【請求項１３】
１つのマイクロレンズに対して複数の画素が配置された撮像素子を備えた撮像手段と、
前記撮像手段により撮像され、撮像された後にリフォーカス可能な画像データと、前記撮像手段の特性情報とを取得する取得手段と、
前記リフォーカス可能な画像データを用いて、目的とする焦点位置のリフォーカス画像を生成するリフォーカス画像生成手段と、
前記リフォーカス可能な画像データにおける奥行き方向の距離を示す距離情報を取得する距離取得手段と、
前記特性情報に基づいて、前記リフォーカス可能な画像データのリフォーカス可能な距離範囲の情報を算出するリフォーカス範囲算出手段と、
前記距離情報と前記リフォーカス可能な距離範囲の情報とに基づいて、リフォーカス可能な画像データに対応する画像であって、リフォーカスにより合焦した画像が得られる領域と得られない領域を区別可能である、表示手段に表示する表示画像を生成する画像処理手段と、
を備えることを特徴とする撮像装置。
【請求項１４】
撮像手段により撮像され、撮像された後にリフォーカス可能な画像データと、前記撮像手段の特性情報とを取得する取得工程と、
前記リフォーカス可能な画像データにおける奥行き方向の距離を示す距離情報を取得する距離取得工程と、
前記特性情報に基づいて、前記リフォーカス可能な画像データのリフォーカス可能な距離範囲の情報を算出するリフォーカス範囲算出工程と、
前記距離情報と前記リフォーカス可能な距離範囲の情報とに基づいて、前記リフォーカス可能な画像データに対応する画像に画像処理を施して、表示手段に表示する表示画像を生成する画像処理工程と、
を備えることを特徴とする画像処理方法。
【請求項１５】
１つのマイクロレンズに対して複数の画素が配置された撮像素子を備えた撮像手段を有する撮像装置を制御する制御方法であって、
前記撮像手段により撮像され、撮像された後にリフォーカス可能な画像データと、前記撮像手段の特性情報とを取得する取得工程と、
前記リフォーカス可能な画像データを用いて、目的とする焦点位置のリフォーカス画像を生成するリフォーカス画像生成工程と、
前記リフォーカス可能な画像データにおける奥行き方向の距離を示す距離情報を取得する距離取得工程と、
前記特性情報に基づいて、前記リフォーカス可能な画像データのリフォーカス可能な距離範囲の情報を算出するリフォーカス範囲算出工程と、
前記距離情報と前記リフォーカス可能な距離範囲の情報とに基づいて、リフォーカス可能な画像データに対応する画像であって、リフォーカスにより合焦した画像が得られる領域と得られない領域を区別可能である、表示手段に表示する表示画像を生成する画像処理工程と、
を有することを特徴とする撮像装置の制御方法。
【手続補正２】
【補正対象書類名】明細書
【補正対象項目名】発明の名称
【補正方法】変更
【補正の内容】
【発明の名称】画像処理装置、画像処理方法、撮像装置及びその制御方法
【手続補正３】
【補正対象書類名】明細書
【補正対象項目名】００１０
【補正方法】変更
【補正の内容】
【００１０】
本発明に係わる画像処理装置は、撮像手段により撮像され、撮像された後にリフォーカス可能な画像データと、前記撮像手段の特性情報とを取得する取得手段と、前記リフォーカス可能な画像データにおける奥行き方向の距離を示す距離情報を取得する距離取得手段と、前記特性情報に基づいて、前記リフォーカス可能な画像データのリフォーカス可能な距離範囲の情報を算出するリフォーカス範囲算出手段と、前記距離情報と前記リフォーカス可能な距離範囲の情報とに基づいて、前記リフォーカス可能な画像データに対応する画像に画像処理を施して、表示手段に表示する表示画像を生成する画像処理手段と、を備えることを特徴とする。
また、本発明に係わる撮像装置は、１つのマイクロレンズに対して複数の画素が配置された撮像素子を備えた撮像手段と、前記撮像手段により撮像され、撮像された後にリフォーカス可能な画像データと、前記撮像手段の特性情報とを取得する取得手段と、前記リフォーカス可能な画像データを用いて、目的とする焦点位置のリフォーカス画像を生成するリフォーカス画像生成手段と、前記リフォーカス可能な画像データにおける奥行き方向の距離を示す距離情報を取得する距離取得手段と、前記特性情報に基づいて、前記リフォーカス可能な画像データのリフォーカス可能な距離範囲の情報を算出するリフォーカス範囲算出手段と、前記距離情報と前記リフォーカス可能な距離範囲の情報とに基づいて、リフォーカス可能な画像データに対応する画像であって、リフォーカスにより合焦した画像が得られる領域と得られない領域を区別可能である、表示手段に表示する表示画像を生成する画像処理手段と、を備えることを特徴とする。